(57)【要約】      （修正有）【課題】外部が明るい時であっても映像の明るさが低下しにくいヘッドアップディスプレー装置を提供する。【解決手段】ケース内部の上端に球面半透明鏡を備え、その下端にプロジェクターユニットを備え、プロジェクターユニットの前方に球面反射スクリーンを備える。また、プロジェクターユニットの投射距離と球面反射スクリーンの焦点距離が一致するように構成し、球面反射スクリーンの前面に球面半透明鏡を備え、球面反射鏡の反射率は２％以上８０％未満となるように構成し、球面反射スクリーンと球面半透明鏡の間隔は球面半透明鏡の焦点距離に位置させる。また、球面半透明鏡の裏面には外光は遮断し、内部から外部を見る視野は８０％以上透過する遮断フィルムを結合する。【選択図】図１
2015172734.tif 000002
【特許請求の範囲】
【請求項１】
高光度ヘッドアップディスプレー装置において、
プロジェクターユニット１とスクリーンと半透明鏡から構成し、
前記球面反射スクリーンの形態は曲率Ｒを有する球面形態で構成し、
前記球面反射スクリーン２の構成位置はプロジェクターユニット１の投射距離Ｄ１と球面反射スクリーン２の曲率Ｒが有する焦点距離の３０％以内の位置に構成し、
前記球面反射スクリーン２の表面反射率は２％以上８０％未満の反射面から構成し、色相はアルミニウム、ステンレス、ニッケルのような白色系の色相のいずれか一つの白色反射面から構成されることを特徴とする、高光度ヘッドアップディスプレー装置。
【請求項２】
前記球面反射スクリーン２は、球面半透明鏡３が有する焦点距離の位置に設けられることを特徴とする、請求項１に記載の高光度ヘッドアップディスプレー装置。
【請求項３】
球面反射スクリーン２の球面曲率R１と、球面半透明鏡３の曲率R２をプロジェクターユニット１の位置を共通の曲率を中心にして構成したことを特徴とする、請求項１または請求項２に記載の高光度ヘッドアップディスプレー装置。
【請求項４】
球面半透明鏡３の裏面に外光は遮断され、内部で外部景観は透過される遮断フィルム４が備えられたことを特徴とする、請求項１乃至請求項３のいずれか１項に記載の高光度ヘッドアップディスプレー装置。
【請求項５】
外光は遮断されるが、内部から外部へ透過される遮断フィルム４が、球面半透明鏡３の裏面に別途に設置角度を調整できる構造から構成されることを特徴とする、請求項１乃至請求項３のいずれか１項に記載の高光度ヘッドアップディスプレー装置。
【請求項６】
球面半透明鏡３が位置する自動車のガラスウインドー８に遮断フィルム４が構成されることを特徴とする、請求項１乃至請求項３のいずれか１項に記載の高光度ヘッドアップディスプレー装置。
【発明の詳細な説明】
【技術分野】
【０００１】
本発明は、自動車運転席の前面に備えられるヘッドアップディスプレー映像装置に関するもので、特にプロジェクターの前面には高光度の明るさを有する反射型スクリーンを備え、前記反射型スクリーンの裏面または車窓に外光を遮断するフィルムを備えることを特徴とする。
【背景技術】
【０００２】
従来の韓国特許１０-１３１９５８７号のヘッドアップディスプレー装置のように、プロジェクションユニット２００の映像は曲面から構成されたコンバイナー１００に投射されたり、自動車前面のウインドーに残像を反射させる構造であった。
【０００３】
前記コンバイナー１００の構造は、一部は透過し、一部は反射するハーフミラー構造である。
【０００４】
また、プロジェクションユニット２００をプロジェクターとして使う従来の製品は、映像を前記一般スクリーンに投射し、一般スクリーンに投射された映像は自動車ウインドーに反射する構造である。
【０００５】
かかる前記技術は、自動車ウインドーに反射されたスクリーンの映像が外光に露出されるので、明るさが低下し、昼にはほとんど使用することができない。
【０００６】
韓国出願番号１０-２００７-０１７４５６及び出願番号１０-１９９０-００１３４８０などの公知技術、及び１０-２００８-０００１６８８、１０-１９８９-００１２４０９、１０-２００８-００７００１５、１０-２００６-００４０６２２、１０-２００８-０１０３６９５号などは、主にモニターの映像を単にガラスウインドーに反射してその残像を観測する構造であって、映像自体がはっきりしないため実用化ができていない。
【先行技術文献】
【特許文献】
【０００７】
【特許文献１】韓国特許出願番号  １０-２００７-０１７４５６
【特許文献２】韓国特許出願番号  １０-１９９０-００１３４８０
【特許文献３】韓国特許出願番号  １０-２００８-０００１６８８
【特許文献４】韓国特許出願番号  １０-１９８９-００１２４０９
【特許文献５】韓国特許出願番号  １０-２００８-００７００１５
【特許文献６】韓国特許出願番号  １０-２００６-００４０６２２
【特許文献７】韓国特許出願番号  １０-２００８-０１０３６９５
【発明の概要】
【発明が解決しようとする課題】
【０００８】
前記のように、透明なガラスからなったウインドーに映像を反射させてその残像を見る構造は、昼に運転する時は、日光がウインドーに直接照射されるし、外部が明るい時には映像の明るさが低下されて、事実上使用が不可能となる。
【０００９】
図１のように、プロジェクターの前端に一般スクリーンとハーフミラー構造の球面鏡構造だけでは明るさが十分ではないので、昼には使用することは不可能である。
【００１０】
すなわち、一般反射スクリーンの場合、反射率が高くなると画面の一部だけ明るく見えるホットスポット現象が生じるので、反射率を２％以上上げることができなかった。よって、本発明において、ウインドーの位置に投射される映像が、ウインドーに入射する日光と外光から投射された映像の明るさをいくら明るく増大することができるのかが最も重要な技術的課題となる。
【課題を解決するための手段】
【００１１】
スクリーンの構造を凹形の曲率を有する球面反射スクリーン構造にし、その球面曲率をプロジェクターユニットの投射距離と球面反射スクリーンの焦点距離が等しく構成され、球面反射スクリーンの表面が有する反射率は２〜８０％と構成する。
また、内部から外部へ透過し、外光は遮断する遮断フィルムを本発明の適正位置に結合して構成する。
すなわち、プロジェクターユニット１とスクリーンと半透明鏡から構成し、前記球面反射スクリーンの形態は曲率Ｒを有する球面形態と構成し、前記球面反射スクリーン２の構成位置はプロジェクターユニット１の投射距離Ｄ１と球面反射スクリーン２の曲率Ｒが有する焦点距離の３０％以内の位置に構成する。また、前記球面反射スクリーン２の表面反射率は２％以上８０％未満の反射面から構成し、色相はアルミニウム、ステンレス、ニッケルのような白色系の色相を有する金属の白色反射面からなる。
また、前記球面反射スクリーン２は、球面半透明鏡３が有する焦点距離の位置に設けられる。
【発明の效果】
【００１２】
前記反射率の２-８０％の球面反射スクリーンは、従来スクリーンの１％の反射率に比べて２-８０倍の明るさへと増大しながら、プロジェクターユニットの投射距離と球面反射スクリーンの焦点距離が一致してホットスポットがない均一な明るさで映像を具現する。
【００１３】
遮断フィルム４は図６のように傾斜角∠Aで射角を設置する時、設置角度を基準にして外光遮断面Ｘは平行になり、傾斜面は暗色または反射面からなって、外部から入って来る外光cを吸収したり反射するので、内部運転者の視覚dは前記傾斜角∠Aによって平行に通過して外部を観測するようになる。
【００１４】
前記ハーフミラーの裏面に備えられる外光遮断フィルムは外部から入って来る光は遮断し、内部で外部景観は透過するので、従来に比べて４倍以上の映像の明るさを増大する。
【００１５】
よって、本発明は従来の構造に比べて前記球面反射スクリーンで２-８０倍、遮断フィルムで４倍、総８-３２０倍の高光度の明るさを実現する。
【図面の簡単な説明】
【００１６】
【図１】本発明を使用する時の説明図。
【図２】本発明の作用説明図。
【図３】本発明の光学的構成説明図。
【図４】球面反射スクリーンの表面反射率。
【図５】球面反射スクリーンと球面反射スクリーンの裏面に結合された遮断フィルムについた説明図。
【図６】別途備えられた遮断フィルムと遮断フィルムについた説明図。
【図７】車両のウインドーに附着された遮断フィルムについた説明図。
【図８】車両に備えられた望遠鏡赤外線カメラ及び後方カメラの構成についた説明図。
【図９】共心球面系から構成された光学的構成説明図。
【図１０】共心球面系の説明図。
【発明を実施するための形態】
【００１７】
本発明は、図１及び図２のように自動車７のダッシュボード上面の車両ウインドー８の前面にプロジェクターユニット１を備え、その上端に一部は透過して一部は反射する球面半透明鏡３を備え、前記プロジェクターユニット１の前面には球面反射スクリーン２を備える。
【００１８】
前記のようなプロジェクターユニット１と球面半透明鏡３及び球面反射スクリーン２は、一つのケース５の内部に固定して、下記のように各構成の間隔と位置を光学的に構成する。
【００１９】
すなわち、図３のようにプロジェクターユニット１の投射レンズから球面反射スクリーン２までが有する投射距離Ｄ１(以下、D１という)と球面反射スクリーン２の球面曲率半径R１は(以下、R１という)、R１=２ X D１と構成する。
【００２０】
また、球面半透明鏡３の曲率Ｒ２(以下、R２という)、球面反射スクリーン２と球面半透明鏡３の間隔D２(以下、D２と言う)の構成は、D= R２/２とする。
【００２１】
このような理由は、球面曲率Ｒが有する焦点距離がF=R/２であるので、球面半透明鏡３が有する焦点位置に球面反射スクリーンを備え、球面反射スクリーンとプロジェクターユニット１の投射距離であるD１が一致するように構成する。
【００２２】
プロジェクターユニット１の投射距離D１と球面反射スクリーン２が持つ曲率R１が有する焦点距離が一致し、球面反射スクリーン２と球面半透明鏡３が有する間隔は球面半透明鏡３が有する曲率R２の焦点距離と一致するようにする。
【００２３】
例えば、D１ = ５０mm、R１ = １００mm、D２ = １２０mm、R２ = ２４０mmから構成される。
【００２４】
しかし、前記の指数は、球面反射スクリーン２の反射率が１００％である場合を仮定したもので、球面反射スクリーン２の反射率が２％である時は、プロジェクターユニット１の投射距離D１と球面反射スクリーン２の曲率R１が有する焦点距離が一致する誤差の範囲は、約３０％まで同一な效果がある。
【００２５】
すなわち、反射率が２％の時はホットスポット現象で目に障ることはないが、球面反射スクリーン２の反射率が８０％の時は、それくらい精密でないとホットスポットが生じてしまうので、その誤差範囲が５％以内でなければならない。
【００２６】
よって、本発明では前記プロジェクターユニット１の投射距離D１と球面反射スクリーン２の曲率R１による焦点距離の誤差範囲を限定はしないが、５-３０％までとする。
【００２７】
このような光学的構造は、プロジェクターユニット１から球面反射スクリーン２へ投射される映像は球面反射スクリーン２で２〜８０％の反射率で反射されるが、前記のように高い反射率にもかかわらずホットスポットがなく、画面の明るさが均一で、とても明るい映像を視聴することができる。
【００２８】
また、このような球面反射スクリーン２の映像が球面半透明鏡３が有する焦点距離に位置するので、球面半透明鏡３は焦点距離の位置にある前記球面反射スクリーン２の映像だけを拡大し、焦点距離を脱した位置にある他の外部映像は外部に拡散するので、映像の明るさが増大するようになる。
【００２９】
このような球面半透明鏡３の反射率と透過率は、それぞれ５０％：５０％を基準にし、用途によって８０％：２０％または２０％：８０％まで加減を調整して構成する。
【００３０】
このような性能を得るためには、球面反射スクリーン２の表面反射率の構成がとても重要である。
【００３１】
すなわち、図４のように、スクリーンの材質はアルミニウム、ステンレス、シルバーなど白色系の材質にし、その表面の粒子度Ｍは６０メッシュ〜６、０００メッシュとする。
【００３２】
スクリーンの反射率は表面の硬度によって異なるが、粒子度Ｍ６０〜８００メッシュの反射率は２-１０％で、徐徐に割合が高くなって粒子度Ｍ８００-１５００メッシュの反射率は１０％-４０％、粒子度Ｍ１、５００〜６、０００メッシュは４０％-８０％の反射率を有するように構成することができる。
【００３３】
前記のようなスクリーン表面の粒子度は、映像の解像度に決定的作用をするが、反射率は粒子度だけでなく、表面の反射面、材質硬度によって変わることがあるので、これに鑑みて加減を決定する。
【００３４】
このような表面の構成は、様々な材質から構成することができる。
例えば、アルミニウムホイルの表面をローラーで圧延する時、ローラーによって表面の反射率を調整することができ、ステンレスなどの金属表面を材質とする時は、前記粒子度Ｍによるメッシュで表面を腐食する方法で調整できる。
スチール、銅、合金をスクリーンの表面とする時は、表面の前記粒子度を表面の粒子度Ｍと構成し、その表面にクロム、シルバー、ニッケル及びその他の白色系の金属で表面処理をする。
また、前記球面反射スクリーン２は、金属を押圧して表面の粒子度を適正な反射率で処理した後、その表面を陽極処理、酸化処理、クロム処理、ニッケル表面処理などの化学処理を行ったり、球面形態をプラスチックで射出し、適正な反射率になるように表面処理した後、アルミニウムコーティング処理をして構成することができる。
【００３５】
図５のように球面半透明鏡３の裏面に備えられた遮断フィルム４の構造は、球面半透明鏡３を通じて運転者６の外部視野dは８０％以上透過する。
【００３６】
すなわち、遮断フィルム４表面のプリズムの角度が外部視野dの方向に対して平行な方向へと備えられ、車両の外部ウインドーを通じて球面半透明鏡３へ入射する外光cは、反射面Aが備えられた遮断フィルム４表面のプリズムによって反射されるようになっていて、外光cを遮断するようになる。
【実施例】
【００３７】
［実施例１］
前記のような構成は、図１のように反射率２-８０％の球面反射スクリーン２の構造を構成する時、従来１％の反射率を有するスクリーンに比べて２〜８０倍の明るさに増大される。
【００３８】
［実施例２］
図１の構造に、図５のような遮断フィルム４を球面半透明鏡３の裏面に結合する時、外光cは遮断され、透過光量は８０％であるため、映像の明るさが外光遮断效果によって４倍以上の明るさに増大される。
【００３９】
［実施例３］
図１のように２-８０％の反射率を有する球面反射スクリーン２と、外光は遮断して内部から外部へ５０％以上透過する遮断フィルム４が結合された球面半透明鏡３から構成する時、球面反射スクリーン２で２-８０倍、球面半透明鏡３で最大４-８倍、合わせて最大３２０倍の明るさの増大效果を得られる。
【００４０】
［実施例４］
このような本発明の遮断フィルム４は、図５のように球面半透明鏡３の裏面に附着することができる
【００４１】
また、図６のように遮断フィルム４を別途の角度調整装置によって別に備え、球面反射スクリーン２と、外部から入射する外光対比反射角が合わない場合、別途に遮断フィルム４の遮断角度を調整して使用することができる。
【００４２】
このような本発明は、図５、図６のように遮断フィルム４が必要傾斜角∠Aで射角を設置する時、設置角度を基準にして外光遮断面Ｘは平行になり、この部分は暗色または反射面からなって、自動車の外部に入って来る外光cを吸収したり反射し、内部の運転者の視覚dは、前記傾斜角∠Aによって平行になる運転者の視覚dはそのまま通過して外部を観測できるようになる。
【００４３】
すなわち、遮断フィルム４の外光遮断面Ｘがフィルムの水平対比３０度の角度に形成されたら、遮断フィルム４も３０度角度の射角に設置しなければならない。
【００４４】
このような外光遮断面Ｘを形成する厚さまたは面積は、全体面積の２０％-５０％未満に形成することで、前記傾斜角∠Aによる一定の角度で入射される外光は５０-８０％以上吸収し、内部から外部を見る外部景観の透過率は５０-８０％以上になる。
【００４５】
このような遮断フィルム４は、前記のように固定された傾斜角∠Aから構成されないと、外光遮断面Ｘは吸収されず運転者の視覚dが通過されないので、遮断フィルム４の傾斜角∠Aが重要である。
【００４６】
したがって、図６のように球面半透明鏡３の裏面に本遮断フィルム４を附着すると、球面半透明鏡３の反射角度と遮断フィルムＸの設置角度が相違することがあるので、このような場合を勘案してその裏面に遮断フィルム４を別途回転するようにして遮断フィルム４の設置角度を固定することができる。
【００４７】
［実施例５］
図７のように、自動車ウインドー８はその傾斜角が一定するので、本遮断フィルムを本発明の裏面に当たる自動車ウインドー８に別途に付着して使用することができる。
【００４８】
［実施例６］
図８のように、自動車７内部運転席の上端に望遠レンズまたは赤外線カメラ、 CCTVなどのカメラ１０装置を附着し、必要によって選択して観測することができる。
特に、赤外線カメラ装置は、照明がない夜間運転、霧の中の運転などにとても效率的である。
また、図７のように、自動車７の後方に後方カメラ１を附着し、後進変換する時、自動的に後方の映像が表れるようにすることができる。
【００４９】
［実施例７］
このような本発明は、図９と図１０のように、球面反射スクリーン２と球面半透明鏡３が共心球面から構成される。
【００５０】
共心球面とは、図９のように、プロジェクターユニット１の投射レンズFの位置を基点にして、球面反射スクリーン２の球面曲率R１と球面半透明鏡の曲率R２を前記投射レンズFの同一位置を基軸にして、同一な共心を持つ曲率から構成されるものである。
【００５１】
すなわち、図９のように、F１とR１、F２とR２は同一にするものの、R１、R２の曲率中心はFを基準にして共通の曲率中心を有することを言う。
【００５２】
この場合、図９のように、球面反射スクリーン２の直径Aと球面半透明鏡３の直径A１は、F点で投射されるプロジェクターユニット１の投射角Aによって決まる。
【００５３】
このような実施例は、図１０のように、球面反射スクリーン２の構造を凸状(Convex)にする構成になるので、プロジェクターユニット１で投射されたスクリーン映像の歪み現象がなく、ホットスポットが消えることで、明るい映像の具現が可能になる。
【００５４】
前記のように、本発明は球面反射スクリーン２の使用を特徴とし、球面半透明鏡３と遮断フィルム４を複合構成することを特徴とする。
【００５５】
よって、このような本発明は、車両の高光度ヘッドアップディスプレー構造はもちろん、航空機、船舶用のヘッドアップディスプレーとしても使用することができる。
【符号の説明】
【００５６】
１  プロジェクターユニット
２  球面反射スクリーン
３  球面半透明鏡
４  遮断フィルム
５  ケース
６  運転者
７  車両
８  ウインドー
D１  投射距離
D２  焦点距離
R１  球面反射スクリーンの球面曲率
R２  球面半透明鏡の曲率
A  反射面
B  散乱面
Ｍ  粒子度
c  外光
D  運転者の外部透視角
e  映像
【図１】
2015172734.tif 000003
【図２】
2015172734.tif 000004
【図３】
2015172734.tif 000005
【図４】
2015172734.tif 000006
【図５】
2015172734.tif 000007
【図６】
2015172734.tif 000008
【図７】
2015172734.tif 000009
【図８】
2015172734.tif 000010
【図９】
2015172734.tif 000011
【図１０】
2015172734.tif 000012
【外国語明細書】
2015172734.tif 000013
2015172734.tif 000014
2015172734.tif 000015
2015172734.tif 000016
2015172734.tif 000017
2015172734.tif 000018
2015172734.tif 000019
2015172734.tif 000020
2015172734.tif 000021
2015172734.tif 000022
2015172734.tif 000023
2015172734.tif 000024
2015172734.tif 000025
2015172734.tif 000026
2015172734.tif 000027
2015172734.tif 000028
2015172734.tif 000029
2015172734.tif 000030
2015172734.tif 000031
2015172734.tif 000032
2015172734.tif 000033
2015172734.tif 000034
2015172734.tif 000035
2015172734.tif 000036
2015172734.tif 000037
2015172734.tif 000038
2015172734.tif 000039
2015172734.tif 000040
2015172734.tif 000041
2015172734.tif 000042